(57)【要約】【課題】広い画角で高精細な画像を表示できる小型軽量な画像表示装置を提供する。【解決手段】微小なレンズと微小な偏角プリズムとを有するレンズユニット８２０であって低分散部分８１１と高分散部分８１２とから成るものを多数２次元に並列させたマイクロレンズアレイ８１０を画像表示装置８０１の接眼鏡とし、微小なレンズによって結像を行いかつ微小な偏角プリズムによって光束の屈折を行うことにより、レンズユニット８２０それぞれによって形成されるディスプレイデバイス７００の各虚像の同一対応部分同士が同一の位置において同一の大きさで一致して重なり合うようにして、マイクロレンズアレイ８１０全体でディスプレイデバイス７００に対応する一つの虚像を合成する。【選択図】        図８
2004151121.tif 000002
【特許請求の範囲】
【請求項１】
微小なレンズと微小な偏角プリズムとを有するレンズユニットであって、前側焦点と後側焦点とのいずれもが前記レンズユニットの外側に位置しかつ望遠鏡としての倍率が１のものを多数２次元に並列させたマイクロレンズアレイであって、
前記微小なレンズによって結像を行いかつ前記微小な偏角プリズムによって光束の屈折を行うことにより、前記レンズユニットそれぞれによって形成される同一の対象物体に対応する各虚像あるいは各実像の同一対応部分同士が同一の位置において同一の大きさで一致して重なり合うようにして、
前記マイクロレンズアレイ全体で前記同一の対象物体に対応する一つの虚像あるいは一つの実像を合成することを特徴とするマイクロレンズアレイ。
【請求項２】
前記レンズユニットを、低分散部分と高分散部分とを接合させて成る組み合わせレンズユニットとし、
前記マイクロレンズアレイが全体として正の屈折力を有する場合、
前記組み合わせレンズユニットのそれぞれについて、前記マイクロレンズアレイの中心から遠い側で、前記低分散部分と前記高分散部分との境界面の傾きが、前記低分散部分側へと傾くように設定し、
前記マイクロレンズアレイが全体として負の屈折力を有する場合、
前記組み合わせレンズユニットのそれぞれについて、前記マイクロレンズアレイの中心から遠い側で、前記低分散部分と前記高分散部分との境界面の傾きが、前記高分散部分側へと傾くように設定することにより、色収差を低減することを特徴とする請求項１に記載のマイクロレンズアレイ。
【請求項３】
微小な凸レンズと微小な凹レンズとから成る微小なガリレオ式望遠鏡または微小な逆ガリレオ式望遠鏡を多数２次元に並列させたマイクロレンズアレイであって、前記微小なガリレオ式望遠鏡のそれぞれまたは前記微小な逆ガリレオ式望遠鏡のそれぞれの前記微小な凸レンズの光軸と前記微小な凹レンズの光軸とを一致あるいは偏心させることにより、前記微小なガリレオ式望遠鏡のそれぞれまたは前記微小な逆ガリレオ式望遠鏡のそれぞれによって形成される同一の対象物体に対応する各虚像あるいは各実像の同一対応部分同士が同一の位置において同一の大きさで一致して重なり合うようにして、前記マイクロレンズアレイ全体で前記同一の対象物体に対応する一つの虚像あるいは一つの実像を合成することを特徴とするマイクロレンズアレイにおいて、
前記微小なガリレオ式望遠鏡と前記微小な逆ガリレオ式望遠鏡とは、低分散部分と高分散部分とを接合させて成る組み合わせレンズユニットとし、
前記マイクロレンズアレイが全体として正の屈折力を有する場合、
前記組み合わせレンズユニットのそれぞれについて、前記マイクロレンズアレイの中心から遠い側で、前記低分散部分と前記高分散部分との境界面の傾きが、前記低分散部分側へと傾くように設定し、
前記マイクロレンズアレイが全体として負の屈折力を有する場合、
前記組み合わせレンズユニットのそれぞれについて、前記マイクロレンズアレイの中心から遠い側で、前記低分散部分と前記高分散部分との境界面の傾きが、前記高分散部分側へと傾くように設定することにより、色収差を低減することを特徴とするマイクロレンズアレイ。
【請求項４】
ディスプレイデバイスと請求項１、２または３に記載のマイクロレンズアレイとから成る画像表示装置であって、
前記マイクロレンズアレイを接眼鏡として用いることにより、
前記ディスプレイデバイスの虚像を前記ディスプレイデバイスに対して遠方に合成して表示することを特徴とする画像表示装置。
【請求項５】
前記画像表示装置一対を観察者の左右の眼のそれぞれに対応させて配置することにより、両眼用のヘッドマウンテッドディスプレイとしたことを特徴とする請求項４に記載の画像表示装置。
【発明の詳細な説明】
【０００１】
【発明の属する技術分野】
本発明は、物体の虚像あるいは実像を合成するためのマイクロレンズアレイおよびそれを用いた画像表示装置に関する。
【０００２】
【従来の技術】
小型で軽量なレンズとして、フレネルレンズやゾーンプレートといったシート状のレンズが古くから使用されている。また、正立した実像を形成する光学系として、マイクロレンズアレイを用いた正立等倍結像系が使用されている。
【０００３】
一方、比較的小型軽量なヘッドマウンテッドディスプレイとして凹面鏡や自由曲面プリズムを接眼鏡として用いたものが実用化されている。
【０００４】
【発明が解決しようとする課題】
従来のシート状のレンズは、１枚のレンズなので設計の自由度が少なくＦナンバーを小さくすると周辺部の収差が増大するという欠点があった。また、正立等倍結像系は、実像を合成する光学系なので、ディスプレイデバイス上に表示した画像を遠方の虚像として観察するための画像表示装置には使用できなかった。
【０００５】
この課題に対処した技術として、本発明者による特願２０００−３２２６３６号の微小なガリレオ式望遠鏡または微小な逆ガリレオ式望遠鏡を多数２次元に並列させたマイクロレンズアレイがある。
【０００６】
それは、微小なガリレオ式望遠鏡または微小な逆ガリレオ式望遠鏡をそれぞれの位置に応じて偏心させることにより、広画角でありながら周辺部の収差が小さい像を合成できるマイクロレンズアレイである。
【０００７】
しかし、このようにレンズユニットを微小なガリレオ式望遠鏡または微小な逆ガリレオ式望遠鏡に限定すると、望遠鏡としての倍率が１のレンズユニットを用いたマイクロレンズアレイが設計から除外されてしまうという問題があった。
【０００８】
一方、従来の凹面鏡や自由曲面プリズムを用いたヘッドマウンテッドディスプレイは凹面鏡部分がディスプレイデバイスの４倍以上の面積を持つために、小型に構成しようとすると対角１５ｍｍ程度のディスプレイデバイスを用いる必要があった。一方、対角１５ｍｍ程度の透過型ＬＣＤや有機ＥＬディスプレイではＶＧＡ（６４０×４８０画素）以上の解像度にすることが困難であった。
【０００９】
したがって、従来の凹面鏡や自由曲面プリズムを用いたヘッドマウンテッドディスプレイでは、解像度をＸＧＡ（１０２４×７６８画素）以上にしようとすると反射型ＬＣＤを採用するなどの対策が必要となり、構造の複雑化が避けられなかった（参考文献：研野孝吉：“ＨＭＤの最新の動向と展望”、映像情報メディア学会技術報告、ＶｏＬ．２４、Ｎｏ．７１、ｐｐ．９−１４）。
【００１０】
本発明は、このような従来の技術が有する問題点に着目してなされたもので、一つの対象物体に対応する一つの像を合成するマイクロレンズアレイおよびこれを用いた広画角で高精細な画像を表示する小型軽量な画像表示装置を提供することを目的としている。
【００１１】
【課題を解決するための手段】
かかる目的を達成するための本発明の要旨とするところは、次の各項の発明に存する。
［１］  微小なレンズと微小な偏角プリズムとを有するレンズユニット（２１１）であって、前側焦点と後側焦点とのいずれもが前記レンズユニット（２１１）の外側に位置しかつ望遠鏡としての倍率が１のものを多数２次元に並列させたマイクロレンズアレイ（２１０）であって、
前記微小なレンズによって結像を行いかつ前記微小な偏角プリズムによって光束の屈折を行うことにより、前記レンズユニット（２１１）それぞれによって形成される同一の対象物体（２００）に対応する各虚像あるいは各実像の同一対応部分同士が同一の位置において同一の大きさで一致して重なり合うようにして、
前記マイクロレンズアレイ（２１０）全体で前記同一の対象物体（２００）に対応する一つの虚像（２０１）あるいは一つの実像を合成することを特徴とするマイクロレンズアレイ。
【００１２】
［２］  前記レンズユニット（２１１）を、低分散部分（４１１ａ、４１１ｂ）と高分散部分（４１２ａ、４１２ｂ）とを接合させて成る組み合わせレンズユニット（４２０ａ、４２０ｂ）とし、
前記マイクロレンズアレイ（４１０ａ）が全体として正の屈折力を有する場合、
前記組み合わせレンズユニット（４２０ａ）のそれぞれについて、前記マイクロレンズアレイ（４１０ａ）の中心から遠い側で、前記低分散部分（４１１ａ）と前記高分散部分（４１２ａ）との境界面の傾きが、前記低分散部分（４１１ａ）側へと傾くように設定し、
前記マイクロレンズアレイ（４２０ｂ）が全体として負の屈折力を有する場合、
前記組み合わせレンズユニット（４２０ｂ）のそれぞれについて、前記マイクロレンズアレイ（４１０ｂ）の中心から遠い側で、前記低分散部分（４１１ｂ）と前記高分散部分（４１２ｂ）との境界面の傾きが、前記高分散部分側（４１２ｂ）へと傾くように設定することにより、色収差を低減することを特徴とする［１］に記載のマイクロレンズアレイ。
【００１３】
［３］  微小な凸レンズと微小な凹レンズとから成る微小なガリレオ式望遠鏡（５２０ｂ）または微小な逆ガリレオ式望遠鏡（５２０ａ）を多数２次元に並列させたマイクロレンズアレイ（５１０ａ、５１０ｂ）であって、前記微小なガリレオ式望遠鏡（５２０ｂ）のそれぞれまたは前記微小な逆ガリレオ式望遠鏡（５２０ａ）のそれぞれの前記微小な凸レンズの光軸と前記微小な凹レンズの光軸とを一致あるいは偏心させることにより、前記微小なガリレオ式望遠鏡（５２０ｂ）のそれぞれまたは前記微小な逆ガリレオ式望遠鏡（５２０ａ）のそれぞれによって形成される同一の対象物体に対応する各虚像あるいは各実像の同一対応部分同士が同一の位置において同一の大きさで一致して重なり合うようにして、前記マイクロレンズアレイ（５１０ａ、５１０ｂ）全体で前記同一の対象物体に対応する一つの虚像あるいは一つの実像を合成することを特徴とするマイクロレンズアレイにおいて、
前記微小なガリレオ式望遠鏡（５２０ｂ）と前記微小な逆ガリレオ式望遠鏡（５２０ａ）とは、低分散部分（５１１ａ、５１１ｂ）と高分散部分（５１２ａ、５１２ｂ）とを接合させて成る組み合わせレンズユニット（５２０ａ、５２０ｂ）とし、
前記マイクロレンズアレイ（５１０ａ）が全体として正の屈折力を有する場合、
前記組み合わせレンズユニット（５２０ａ）のそれぞれについて、前記マイクロレンズアレイ（５１０ａ）の中心から遠い側で、前記低分散部分（５１１ａ）と前記高分散部分（５１２ａ）との境界面の傾きが、前記低分散部分（５１１ａ）側へと傾くように設定し、
前記マイクロレンズアレイ（５２０ｂ）が全体として負の屈折力を有する場合、
前記組み合わせレンズユニット（５２０ｂ）のそれぞれについて、前記マイクロレンズアレイ（５１０ｂ）の中心から遠い側で、前記低分散部分（５１１ｂ）と前記高分散部分（５１２ｂ）との境界面の傾きが、前記高分散部分（５１２ｂ）側へと傾くように設定することにより、色収差を低減することを特徴とするマイクロレンズアレイ。
【００１４】
［４］  ディスプレイデバイス（７００）と請求項１、２、３または４に記載のマイクロレンズアレイ（８１０）とから成る画像表示装置（８０１）であって、
前記マイクロレンズアレイ（８１０）を接眼鏡として用いることにより、
前記ディスプレイデバイス（７００）の虚像を前記ディスプレイデバイス（７００）に対して遠方に合成して表示することを特徴とする画像表示装置。
【００１５】
［５］  前記画像表示装置一対を観察者の左右の眼のそれぞれに対応させて配置することにより、両眼用のヘッドマウンテッドディスプレイ（９０１）としたことを特徴とする［４］に記載の画像表示装置。
【００１６】
前記本発明は次のように作用する。
本発明にかかるマイクロレンズアレイでは、レンズユニットを多数２次元に並列してある。
【００１７】
たとえば、本発明にかかるマイクロレンズアレイ（８１０）の前方にディスプレイデバイス（７００）を配置し後方に観察位置を設定したとすれば、ディスプレイデバイス（７００）の虚像をその遠方に合成表示する画像表示装置（８０１）を得ることができる。
【００１８】
すなわち、中心から遠いレンズユニットほどレンズの焦点距離や偏角プリズムの偏角を大きくするなどして、レンズユニットそれぞれによって形成されるディスプレイデバイスの虚像の同一対応部分同士が同一の位置において同一の大きさで一致して重なり合うようにすれば、マイクロレンズアレイ（８１０）全体としてはディスプレイデバイス（７００）の虚像をその遠方に合成することができる。
【００１９】
また、本発明にかかるマイクロレンズアレイ（４１０ａ、４１０ｂ、５１０ａ、５１０ｂ）のレンズユニットを低分散部分（４１１ａ、４１１ｂ、５１１ａ、５１１ｂ）と高分散部分（４１２ａ、４１２ｂ、５１２ａ、５１２ｂ）とから成る組み合わせレンズユニット（４２０ａ、４２０ｂ、５２０ａ、５２０ｂ）とすることにより色収差を改善することができる。
【００２０】
これは、従来の低分散の凸レンズ（６１１）と高分散の凹レンズ（６１２）とからなるアクロマートレンズ（６１０）と同様に、第一境界面において分散した長波長と短波長の光束を第２境界面において再び近づくように屈折することにより色消しを実現するものである。
【００２１】
一方、本発明にかかるマイクロレンズアレイの色消しでは、各組み合わせレンズユニット毎に色消しを行なうので、従来のアクロマートレンズのように周辺部の色消しをしようとすると中心部の色消しができなくなるといったことがなく、マイクロレンズアレイの中心部から周辺部に至るまで良好な色消しが実現できる。
【００２２】
次に、本発明にかかるマイクロレンズアレイとフレネルレンズとの形状および特性の違いについて述べる。フレネルレンズでは、レンズ面全体がレンズの光軸を中心とした回転体であるため、微小部分毎に結像機能と屈折機能とを任意に調整することはできない。一方、本発明にかかるマイクロレンズアレイでは、レンズユニットそれぞれが微小なレンズと微小な偏角プリズムとを有するので、レンズユニット毎に結像機能と屈折機能とを任意に調整することができる。したがって、本発明にかかるマイクロレンズアレイはフレネルレンズに比べて格段に収差を小さくすることができる。
【００２３】
次に、本発明にかかるマイクロレンズアレイと、正立等倍結像系のマイクロレズアレイとの相違について述べる。本発明にかかるマイクロレンズアレイでは、レンズユニットそれぞれの焦点はレンズユニットの外側に位置し、かつ合成される像は実像の場合倒立像である。一方、正立等倍結像系のマイクロレンズアレイでは、レンズユニットそれぞれの焦点はレンズユニットの内側に位置し、かつ合成される像は正立した実像のみである。したがって、本発明にかかるマイクロレンズアレイと正立等倍結像系のマイクロレズアレイとは、原理も機能も異なる技術である。
【００２４】
【発明の実施の形態】
以下、図面に基づき本発明の各種の実施の形態を説明する。
図１は、本発明の第１の実施の形態のマイクロレンズアレイの基本的な構成を示している。
図１ａに示すマイクロレンズアレイ１１０のレンズユニット１１１は、微小な偏角プリズムと微小な凸レンズとを連続的に構成したものであり、光の進路上にあるレンズユニットの一方の面が傾斜した平面を成し、もう一方の面が傾斜（偏心）していない球面を成すものである。
【００２５】
また、図１ｂに示すマイクロレンズアレイ１２０のレンズユニット１２１は、微小な凸レンズと微小な偏角プリズムとを一体的に構成したものであり、光の進路上にあるレンズユニットの一方の面が傾斜（偏心）した球面を成し、もう一方の面が傾斜（偏心）していない球面を成すものである。
【００２６】
図２は、本発明の第１の実施形態のマイクロレンズアレイ２１０における光の進路を示している。各レンズユニット２１１は、レンズの焦点距離やプリズムの偏角を調整して発散（収束）や屈折を制御することにより、物平面２００上の１点Ｐからの放射光を、共役な像平面２０１上の虚像Ｐ’からの放射光へと変換する。なお、図示省略したが実像を合成する構成も当然可能である。
【００２７】
本発明の第１の実施形態と関連する従来技術として本発明者による特願２０００−３２２６３６号にかかるマイクロレンズアレイがある。そのマイクロレンズアレイ３１０を構成するレンズユニットは、図３のように逆ガリレオ式望遠鏡３１１（逆方向から見ればガリレオ式望遠鏡）となっている。したがって、本発明の第１の実施形態は本発明者による特願２０００−３２２６３６号にかかるマイクロレンズアレイの各逆ガリレオ式望遠鏡ユニットの望遠鏡としての倍率を極限まで１に近づけたものと等価である。
【００２８】
しかし一方、望遠鏡としての倍率が１のものは、もはや望遠鏡や逆望遠鏡とはいえないという立場にたつなら、本発明の第１の実施形態は、本発明者による特願２０００−３２２６３６号にかかるマイクロレンズアレイの一形態とはいえず、それとは独立した技術だということになる。たとえば、図２と図３とを比べた場合、本発明者による特願２０００−３２２６３６号にかかるマイクロレンズアレイと本発明の第１の実施形態との違いは、それぞれのレンズユニットの物平面２００、３００側のレンズ面が物平面２００、３００側から見て凹面３１２であるかないかとうい外形的な違いとしてあらわれている。
【００２９】
次に、図４に示す本発明の第２の実施形態および図５に示す第３の実施形態について説明する。本発明にかかるマイクロレンズアレイ４１０ａ、４１０ｂ、５１０ａ、５１０ｂのレンズユニットそれぞれを低分散部分４１１ａ、４１１ｂ、５１１ａ、５１１ｂと高分散部分４１２ａ、４１２ｂ、５１２ａ、５１２ｂとから成る組み合わせレンズユニット４２０ａ、４２０ｂ、５２０ａ、５２０ｂとすることにより色消しを達成するものである。マイクロレンズアレイ４１０に入射した光束は、組み合わせレンズユニット４２０ａ、４２０ｂ、５２０ａ、５２０ｂの第１境界面４０１ａ、４０１ｂ、５０１ａ、５０１ｂ、第２境界面４０２ａ、４０２ｂ、５０２ａ、５０２ｂそして第３境界面４０３ａ、４０３ｂ、５０３ａ、５０３ｂで発散（収束）および屈折が制御される。
【００３０】
各組み合わせレンズユニットでは、マイクロレンズアレイ全体の屈折力が正であるか負であるかに応じて、第２境界面のマイクロレンズアレイ中心から遠い側を、低分散部分側か高分散部分側かに傾ける。図４ａに示す例では、マイクロレンズアレイ４１０ａ全体が正の屈折力をもっているので、第２境界面４０２ａのマイクロレンズアレイ４１０ａ中心から遠い側を、低分散部分４１１ａ側に傾けている。こうすることにより、第１境界面４０１ａを通過するとき分散した長波長と短波長との光束を第２境界面４０２ａにおいて再び近づくように屈折し、さらに、第３境界面４０３ａで発散（収束）および屈折を制御することによって各波長の光束が同一の位置において同一の大きさの像を結ぶようにして色消しを行う。
【００３１】
なお、図４に示した本発明の第２の実施形態と図５に示した第３の実施形態との本質的な違いは、第２の実施形態の組み合わせレンズユニット４２０ａ、４２０ｂの望遠鏡としての倍率は１であるのに対して、第３の実施形態の組み合わせレンズユニット５２０ａ、５２０ｂは逆ガリレオ式望遠鏡（逆から見ればガリレオ式望遠鏡）になっているという点である。
【００３２】
また、本発明の第２および第３の実施形態では、組み合わせレンズユニット毎にレンズ面の曲率と傾きとを設定できるので、図６に示すような低分散の凸レンズ６１１と高分散の凹レンズ６１２とを組み合わせた従来のアクロマートレンズ６１０に比べて設計の自由度が多く収差を抑えやすい。
【００３３】
次に、本発明の第４の実施形態として本発明の第１、第２、または第３の実施形態にかかるマイクロレンズアレイを接眼鏡として用いた画像表示装置について述べる。図７ａや図８ｂに示すように、従来の凹面鏡方式や自由曲面プリズム方式の画像表示装置では光学系の外形寸法がディスプレイデバイスの４倍以上の面積をもつ凹面鏡７１０によって規定される。一方、図８に示すように、本発明にかかる画像表示装置８０１では、外形寸法がディスプレイデバイス７００そのものによって規定される。また、本発明にかかる画像表示装置では、凹面鏡方式や自由曲面プリズム方式のようにディスプレイデバイス７００部分が側方へ張り出すことがない。したがって、本発明にかかる画像表示装置８０１は、従来の凹面鏡方式や自由曲面プリズム方式に比べて４倍程度の面積（解像度）のディスプレイデバイスを使用しても比較的小型軽量に構成することができる。
【００３４】
たとえば、本発明にかかるヘッドマウンテッドディスプレイ９０１は、図９に示すような小振りの眼鏡形状に構成することが可能である。家庭や職場等の日常生活を営む場所では、身近に注意を払うべき人物や危険物が存在するので、従来の両眼用のヘッドマウンテッドディスプレイのように両眼を被うものは、極めて限られた場合にしか使用できなかった。一方、図９に示すようなヘッドマウンテッドディスプレイは外界とディスプレイとを交互に観察できるので、日常生活を営むほとんどの場所で使用することができる。
【００３５】
本発明にかかるマイクロレンズアレイは、以上述べたヘッドマウンテッドディスプレイ以外にもさまざまな光学系に利用することができる。たとえば、本発明にかかる逆ガリレオ式望遠鏡の色消しレンズユニットから成るマイクロレンズアレイ１０１０は、図１０ａに示すようなルーペ１００１に利用すれば、色収差を抑えながら観察面１０００とマイクロレンズアレイ１０１０との間隔を小さくでき、またマイクロレンズアレイ１０１０自体の重量も小さいので、従来の図１０ｂに示すようなルーペ１００２に比べて格段に小型軽量なものとなる。
【００３６】
以上説明した実施の形態では、レンズユニットの境界面を曲面や傾斜面にすることによってレンズと偏角プリズムとを構成したが、光学的にそれと同等な作用を持つ回折格子や屈折率分布型の光学素子等を用いてレンズと偏角プリズムとを構成してもよい。
【００３７】
【発明の効果】
本発明にかかるマイクロレンズアレイは、レンズユニットそれぞれがレンズと偏角プリズムとを有し、レンズユニット毎に光束の発散（収束）や屈折や色消しを調整できるので、中心部から周辺部に至るまで諸収差の少ない像を合成することができる。したがって、本発明にかかるマイクロレンズアレイを接眼鏡して用いた画像表示装置は、小型軽量でありながら広画角で高精細な画像を表示することができる。
【図面の簡単な説明】
【図１】微小な偏角プリズムと微小な凸レンズとが連続して成るレンズユニットを多数並列した本発明の第１の実施形態にかかるマイクロレンズアレイを示す斜視図である。
【図２】微小な偏角プリズムと微小な凸レンズとが一体化して成るレンズユニットを多数並列した本発明の第１の実施形態にかかるマイクロレンズアレイを示す斜視図である。
【図３】特願２０００−３２２６３６号にかかるマイクロレンズアレイの説明図である。
【図４】本発明の第２の実施形態にかかるマイクロレンズアレイの色消しのメカニズムを示す説明図である。
【図５】本発明の第３の実施形態にかかるマイクロレンズアレイの色消しのメカニズムを示す説明図である。
【図６】従来のアクロマートレンズの色消しのメカニズムを示す説明図である。
【図７】従来の凹面鏡方式の画像表示装置および自由曲面プリズム方式の画像表示装置の一例を示す説明図である。
【図８】本発明にかかる画像表示装置の光の進路を示す説明図である。
【図９】本発明にかかるヘッドマウンテッドディスプレイの使用形態の一例を示す斜視図である。
【図１０】本発明にかかるマイクロレンズアレイを用いたルーペと従来のルーペとを比較した説明図である。
【符号の説明】
１１０、１２０、２１０、３１０、４１０ａ、４１０ｂ、５１０ａ、５１０ｂ、８１０、１０１０  マイクロレンズアレイ
１１１、１２１、２１１、３１１  微小なレンズユニット
４２０ａ、４２０ｂ、５２０ａ、５２０ｂ、８２０  組み合わせレンズユニット
２００  物平面
２０１  像平面
３００、７００  ディスプレイデバイス
３１２  凹面状レンズ面
４１１ａ、４１１ｂ、５１１ａ、５１１ｂ、８１１  低分散部分
４１２ａ、４１２ｂ、５１２ａ、５１２ｂ、８１２  高分散部分
４０１ａ、４０１ｂ、５０１ａ、５０１ｂ  第１境界面
４０２ａ、４０２ｂ、５０２ａ、５０２ｂ  第２境界面
４０３ａ、４０３ｂ、５０３ａ、５０３ｂ  第３境界面
６１０  アクロマートレンズ
６１１  低分散凸レンズ
６１２  高分散凹レンズ
７１０  凹面鏡
８０１  画像表示装置
９０１  ヘッドマウンテッドディスプレイ
１０００  観察面
１００１、１００２  ルーペ
【図１】
2004151121.tif 000003
【図２】
2004151121.tif 000004
【図３】
2004151121.tif 000005
【図４】
2004151121.tif 000006
【図５】
2004151121.tif 000007
【図６】
2004151121.tif 000008
【図７】
2004151121.tif 000009
【図８】
2004151121.tif 000010
【図９】
2004151121.tif 000011
【図１０】
2004151121.tif 000012